(57)【要約】【課題】全体が無駄に大きなサイズになるようなことなく、見栄えのよい状態に浴室に設置することができ、かつ融通性に優れ、使い勝手がよい浴室用ラックセットを提供する。【解決手段】浴室の壁面への取付けを図るための壁面設置用取付け部１１を有する第１のラック１と、この第１のラック１とは別体で形成された少なくとも１つの第２のラック２と、を備えており、第１および第２のラック１，２は、第１のラック１に対して第２のラック２を略水平方向に並べた状態に着脱自在に取付け可能なラック連結用取付け部１４，１５，２４，２５を備えている。【選択図】  図１
2018015103.tif 000002
【特許請求の範囲】
【請求項１】
浴室の壁面への取付けを図るための壁面設置用取付け部を有する第１のラックと、
この第１のラックとは別体で形成された少なくとも１つの第２のラックと、
を備えており、
前記第１および第２のラックは、前記第１のラックに対して前記第２のラックを略水平方向に並べた状態に着脱自在に取付け可能なラック連結用取付け部を備えていることを特徴とする、浴室用ラックセット。
【請求項２】
請求項１に記載の浴室用ラックセットであって、
前記第２のラックは、前記第１のラックの左右両側の少なくとも一方に取付けることにより、前記第１および第２のラックの双方を前記浴室の壁面に沿った横並び状に設置することが可能とされている、浴室用ラックセット。
【請求項３】
請求項１または２に記載の浴室用ラックセットであって、
前記ラック連結用取付け部は、前記第１および第２のラックの一方に設けられた少なくとも１つの凹溝部と、他方に設けられた少なくとも１つの凸状部とを備えた構成とされ、
前記凹溝部は、略水平方向に延び、かつその長手方向端部が水平方向を向いて開口した端部開口部とされており、
前記凸状部は、略水平方向に延び、かつ前記端部開口部から前記凹溝部へのスライド進入およびスライド退出が可能とされており、前記凹溝部に前記凸状部をスライド進入させた状態においては、前記第１のラックに前記第２のラックが保持されるように構成されている、浴室用ラックセット。
【請求項４】
請求項３に記載の浴室用ラックセットであって、
前記凹溝部および前記凸状部は、前記第１および第２のラックの前後方向に延びるように設けられており、前記凹溝部に対する前記凸状部のスライド進入およびスライド退出は、前記第２のラックを前記第１のラックの手前側領域から前記第２のラックの取付け対象領域に向けて前進させる操作、および前記第２のラックを前記取付け対象領域から前記手前側領域に後退させる操作により行なうことが可能とされている、浴室用ラックセット。
【発明の詳細な説明】
【技術分野】
【０００１】
本発明は、浴室用ラックセット、さらに詳しくは、浴室に設置され、石鹸、シャンプ、スポンジなどの所望の物品を収容するのに用いられる浴室用ラックセットに関する。
【背景技術】
【０００２】
一般的に、浴室には石鹸などの所望の物品を収容するためのラックが備え付けられているが、これでは不足し、ラックを増やしたいような場合がある。そこで、従来では、後付け方式で利用可能なラックが提案されている。このようなラックとしては、たとえば吸盤などを備えており、ラックを浴室の壁面に取付ける方式のもの（特許文献１）、あるいは複数のラックを上下複数段に積層した構造とし、浴室の床面上に設置する方式のもの（特許文献２）などがある。
【０００３】
しかしながら、前記従来技術においては、次に述べるように改善すべき余地がある。
【０００４】
すなわち、吸盤などを備えたラックの場合には、ラックを新たに追加してラックの総数を増やしたい場合に、その追加のラックも吸盤などを用いて浴室の壁面に取付ける必要がある。これでは、複数のラックを互いに関連付けた状態で綺麗に纏めるといったことは難しく、全体が乱雑となって、見栄えなどが悪いものとなる。
一方、複数のラックを上下複数段に積層した構造のものである場合には、物品の収容能力が大きく、別のラックを新たに追加する必要を少なくできるものの、全体のサイズが大きく、浴室内において嵩張り易い。また、浴室に置く物品の数が減少するような場合であっても、それに応じてラック全体のサイズを小さくするようなことはできず、融通性、利便性に欠ける。さらに、上段のラックの高さが高いため、その部分への物品の収容および取り出しが行ない難くなるような場合もある。
【先行技術文献】
【特許文献】
【０００５】
【特許文献１】特開２０００−２０１８４３号公報
【特許文献２】特開平７−３０３５８３号公報
【発明の概要】
【発明が解決しようとする課題】
【０００６】
本発明は、前記したような事情のもとで考え出されたものであり、全体が無駄に大きなサイズになるようなことなく、見栄えのよい状態に浴室に設置することができ、かつ融通性に優れ、使い勝手がよい浴室用ラックセットを提供することを、その課題としている。
【課題を解決するための手段】
【０００７】
上記の課題を解決するため、本発明では、次の技術的手段を講じている。
【０００８】
本発明により提供される浴室用ラックセットは、浴室の壁面への取付けを図るための壁面設置用取付け部を有する第１のラックと、この第１のラックとは別体で形成された少なくとも１つの第２のラックと、を備えており、前記第１および第２のラックは、前記第１のラックに対して前記第２のラックを略水平方向に並べた状態に着脱自在に取付け可能なラック連結用取付け部を備えていることを特徴としている。
【０００９】
このような構成によれば、次のような効果が得られる。
まず、第１のラックのみを浴室に設置した状態と、第１および第２のラックの双方を浴
室に設置した状態とを選択的に設定することが可能である。したがって、収容する物品の数やボリュームなどに応じて、ラック全体の物品収容容量を増減することができる。したがって、収容対象の物品が少ないにも拘わらず、ラック全体が不必要に大きなサイズとなって浴室内で嵩張るようなことや、収容対象の物品が多いにも拘わらず、これに対して適切に対応できないといった不具合を解消、または緩和することができ、便利である。
また、第１および第２のラックの双方を浴室に設置する場合、第２のラックについては、第１のラックに取付ける構造が採用されているため、これら第１および第２のラックを互いに密接に関連させるようにして纏まりよく浴室に設置することが可能である。したがって、たとえば複数のラックを個別に浴室の壁面に取付けていた場合と比較すると、全体の見栄えをよくすることが可能である。
さらに、第１のラックに第２のラックを取付ける場合には、これらが略水平方向に並べられることとなるため、これらの設置高さが高くならないようにすることができる。複数のラックを上下に積層させた場合には、たとえばユーザが浴室の椅子に座ったまま最上段のラックから物品を取り出すようなことが困難となる場合があるが、本発明によれば、そのような虞をなくし、使用勝手のよいものとすることが可能である。
【００１０】
本発明において、好ましくは、前記第２のラックは、前記第１のラックの左右両側の少なくとも一方に取付けることにより、前記第１および第２のラックの双方を前記浴室の壁面に沿った横並び状に設置することが可能とされている。
【００１１】
このような構成によれば、第１および第２のラックが浴室の壁面の手前側に大きく嵩張った状態になることを適切に回避することができる。
【００１２】
本発明において、好ましくは、前記ラック連結用取付け部は、前記第１および第２のラックの一方に設けられた少なくとも１つの凹溝部と、他方に設けられた少なくとも１つの凸状部とを備えた構成とされ、前記凹溝部は、略水平方向に延び、かつその長手方向端部が水平方向を向いて開口した端部開口部とされており、前記凸状部は、略水平方向に延び、かつ前記端部開口部から前記凹溝部へのスライド進入およびスライド退出が可能とされており、前記凹溝部に前記凸状部をスライド進入させた状態においては、前記第１のラックに前記第２のラックが保持されるように構成されている。
【００１３】
このような構成によれば、前記した凹溝部と凸状部との組み合わせ構造により、第１のラックに対して第２のラックをガタツキの少ない安定した状態で取付けることが可能である。凹溝部に凸状部をスライド進入およびスライド退出させる操作は、容易であり、第１のラックに対する第２のラックの着脱作業も手軽に行なうことが可能である。凹溝部および凸状部は、略水平方向に延びているため、これらの部分に汚れなどが堆積したままとなるようなことも生じ難くし、衛生的なものとすることもできる。
【００１４】
本発明において、好ましくは、前記凹溝部および前記凸状部は、前記第１および第２のラックの前後方向に延びるように設けられており、前記凹溝部に対する前記凸状部のスライド進入およびスライド退出は、前記第２のラックを前記第１のラックの手前側領域から前記第２のラックの取付け対象領域に向けて前進させる操作、および前記第２のラックを前記取付け対象領域から前記手前側領域に後退させる操作により行なうことが可能とされている。
【００１５】
このような構成によれば、第１のラックに対する第２のラックの着脱は、第１のラックを浴室の壁面に設置させたままの状態で、第１のラックの手前側の位置から行なうことが可能となる。したがって、利便性をより高めることが可能である。
【００１６】
本発明のその他の特徴および利点は、添付図面を参照して以下に行なう発明の実施の形
態の説明から、より明らかになるであろう。
【図面の簡単な説明】
【００１７】
【図１】本発明に係る浴室用ラックセットの一例を示す斜視図である。
【図２】図１に示す浴室用ラックセットの第１のラックを示し、（ａ）は、図１のIIa-IIa断面図であり、(ｂ)は、図１のIIb−IIb断面図であり、（ｃ）は、平面図である。
【図３】図１に示す浴室用ラックセットの第２のラックを示し、（ａ）は、図１のIIIa−IIIa断面図であり、（ｂ）は、図１のIIIb−IIIb断面図であり、（ｃ）は、平面図である。
【図４】図１に示す浴室用ラックセットの使用状態の例を示す概略斜視図である。
【図５】図１に示す浴室用ラックセットの使用状態の例を示す断面図である。
【発明を実施するための形態】
【００１８】
以下、本発明の好ましい実施の形態について、図面を参照して具体的に説明する。
【００１９】
図１に示す浴室用ラックセットＡは、１つの第１のラック１と、２つの第２のラック２とを備えている。２つの第２のラック２は、形状、サイズ、および材質が実質的に同一のものである。図１においては、２つの第２のラック２が左右対称とされているが、これは一方が他方に対して水平方向に半回転させられた向き（前後反転）とされていることによる。
【００２０】
第１および第２のラック１，２は、いずれも樹脂成形品であり、これらの基本的な形態は、いずれも上面が開口した略直方体の容器状あるいはトレイ状とされ、その内側には、浴室で使用する各種の物品を収容可能とされている。好ましくは、第１および第２のラック１，２の材質は同一であり、またこれら第１および第２のラック１，２を相互に連結した際の見栄えがよくなるように、それらの上下高さや前後幅寸法なども略同一に揃えられている。
【００２１】
第１のラック１は、たとえば図４に示す浴室の壁面９に取付けられて設置されるものであり、そのための手段として、この第１のラック１の後壁部１０には、一対の取付け用孔１１が設けられている。この取付け用孔１１は、本発明でいう「壁面設置用取付け部」の一例に相当する部位であり、浴室の壁面９に固定された一対の突起状の係止部材（図示略）を、この取付け用孔１１に挿通させてその上縁部に係止させることにより、第１のラック１を壁面９に対して着脱自在に取付けることが可能である。好ましくは、第１のラック１の底壁部１２は、排水性を有する構成とされている。そのための手段として、図２（ｂ），（ｃ）に示すように、たとえば底壁部１２の奥部側（壁面９側）の位置に排水用孔１３が設けられている。底壁部１２の上面は、排水用孔１３に接近するほど高さが低くなる傾斜状とされ、第１のラック１内に入った湯水などは排水用孔１３に円滑に流れ、第１のラック１内に滞留したままにならないようにされている。排水用孔１３が奥部側に設けられている理由は、第１のラック１内の湯水が第１のラック１の手前側に近い箇所から浴室の床上に流れ落ち、その飛沫がユーザ側に飛散し易くなるといった不具合を防止するためである。
【００２２】
第２のラック２は、第１のラック１とは異なり、浴室の壁面９に直接取付けられるものではなく、後述するように、第１のラック１に取付けられて使用される。このため、第２のラック２には、取付け用孔１１に相当する手段は設けられていない。ただし、取付け用孔１１に相当する手段を設けておき、たとえば第１のラック１が紛失あるいは破損した場合には、これに代えて、第２のラック２を浴室の壁面９に直接取付けて使用できるようにしてもよい。第２のラック２の底壁部２２も、排水性を備えている。そのための手段として、図３（ｂ），（ｃ）に示すように、底壁部２２の前後に一対の排水用孔２３が設けら
れている。このように一対の排水用孔２３を設けているのは、第２のラック２は前後反転させて使用することが可能であって、いずれの向きに設定された場合であっても、第２のラック２内の湯水が、第２のラック２の手前側に位置する一方の排水用孔２３のみから集中的に排水されることを防止するためである。底壁部２２には、一対の排水用孔２３のそれぞれに向けて湯水を流れ易くするための２つの傾斜面２２ａ，２２ｂが形成されている。
【００２３】
第２のラック２は、既述したように、第１のラック１に取付けて使用される。このための手段として、第１のラック１の左右両側部のそれぞれには、第１のラック１の前後方向としての略水平方向に延びる凹溝部１４，１５が形成されているとともに、第２のラック２の一側部には、第２のラック２の前後方向としての略水平方向に延びる凸状部２４，２５が形成されている（図２（ａ），図３（ａ）も参照）。これら凹溝部１４，１５および凸状部２４，２５は、本発明でいう「ラック連結用取付け部」の一例に相当する。
【００２４】
第１のラック１の凹溝部１４，１５は、それぞれ上面開口状および横向き開口状とされており、これらの前側の端部は、第１のラック１の前方（手前側）に向いて開口した端部開口部１４ａ，１５ａとされている。第２のラック２の凸状部２４，２５は、それぞれ断面略フック状および矩形状であり、一方の凸状部２４は、凹溝部１４に対してその端部開口部１４ａからスライド進入させ、またスライド退出させることが可能である。また、他方の凸状部２５は、凹溝部１５に対してその端部開口部１５ａからスライド進入させ、またスライド退出させることが可能である。図５に示すように、凹溝部１４，１５に凸状部２４，２５をそれぞれスライド進入させた状態においては、第２のラック２を第１のラック１の片側に密接させるようにして保持させることが可能である。
【００２５】
図１において、凹溝部１５の内側には、係合用凸部１６が形成されているのに対し、凸状部２５の下面部には、係合用凹部２６が形成されている。凹溝部１５に凸状部２５をスライド進入させた際には、係合用凸部１６が係合用凹部２６に係入するようになっており、このことにより第１および第２のラック１，２の前後方向の相対的な位置決めが図られ、第２のラック２が第１のラック１から不用意に離脱することを阻止可能である。係合用凸部１６と係合用凹部２６との係合状態は、第２のラック２をその手前側にやや強い力で引っ張ることにより解除することが可能である。
【００２６】
次に、前記した浴室用ラックセットＡの作用について説明する。
【００２７】
まず、図４に示すように、第１のラック１が浴室の壁面９に取付けられている状態において、必要があれば、第１のラック１の片側に第２のラック２を取付け、物品収容容量を増やすことができる。さらに必要があれば、第１のラック１の反対側の片側に別の第２のラック２を追加して取付けることも可能である。また、これとは反対に、第１のラック１に取付けられている第２のラック２の数を少なくしていくことも可能である。このように、本実施形態の浴室用ラックセットＡによれば、浴室に設置されるラック全体の容量を必要に応じて増減変更することが可能である。したがって、物品収容容量が不足したり、あるいは不必要にラック全体のサイズが大きいといったことを適切に解消または緩和することができる。
【００２８】
第１のラック１に第２のラック２を取付けた場合、これらは浴室の壁面９に沿った横並び状となる。したがって、第１および第２のラック１，２の双方を、ユーザにとって扱い易い高さに設定することが可能であり、浴室の椅子に座ったまま第１および第２のラック１，２のそれぞれへの物品収容、あるいは物品の取り出しを簡単に行なうことができるようにすることができる。
【００２９】
第２のラック２を増設する場合、第２のラック２は、既述したように、第１のラック１に取り付けることとなるため、第２のラック２を浴室の壁面９に直接取付けるような場合と比較すると、その取付け性をよくすることができる。また、第１および第２のラック１，２が一纏まりになった印象を生じ、全体の見栄えをよくすることも可能である。
【００３０】
第１のラック１に第２のラック２を取付けるための操作は、第１のラック１の手前側領域に第２のラック２を配置させてから、凸状部２４，２５を凹溝部１４，１５内にその端部開口部１４ａ，１５ａからスライド進入させるだけでよい。第１のラック１を浴室の壁面９から取り外す必要はない。第２のラック２を第１のラック１から取り外す際には、第２のラック２をその手前側に引っ張るだけでよい。このようなことから、第１のラック１に対する第２のラック２の着脱作業も容易であり、甚だ便利である。第１のラック１に第２のラック２を取付けるための手段として、凸状部２４，２５と凹溝部１４，１５とのスライド嵌合方式が採用されているため、第１および第２のラック１，２をガタツキのない状態に連結することができる他、これらを体裁よく密接させた状態とし、全体の見栄えを一層よくすることも可能である。
【００３１】
本発明は、上述した実施形態の内容に限定されない。本発明に係る浴室用ラックセットの各部の具体的な構成は、本発明の意図する範囲内において種々に設計変更自在である。
【００３２】
上述の実施形態では、第１および第２のラックを横並び状に連結するように構成されているが、本発明はこれに限定されず、たとえば第１のラックの手前側に第２のラックが取付けられ、これらが前後方向に並ぶようにすることもできる。
第２のラックを第１のラックに取付けるための手段としては、前記したような凹溝部と凸状部とのスライド嵌合方式に代えて、たとえば第１および第２のラックに形成された係止部、あるいは第１および第２のラックとは別体の係止部材を用いることにより、第２のラックを第１のラックに係止保持させる方式や、ビス止め方式など、他の様々な方式を採用することが可能である。
第１のラックを浴室の壁面に取付けるための手段も、とくに限定される訳ではなく、たとえばビス止め手段、吸盤、磁石など、様々な手段を採用することが可能である。
【００３３】
上述の実施形態では、第２のラックが２つ具備されているが、その具体的な数は限定されず、要は少なくとも１つ具備されていればよい。第１のラックについても同様である。第１および第２のラックは、樹脂製の略直方体のケース状あるいはトレイ状に形成されたものに限らない。たとえば、全体が透水性に優れたメッシュ状あるいは多孔状に形成されていたり、あるいは複数の異種の部材を用いて組み立てられた構成とすることもできる。
本発明でいう浴室の壁面とは、たとえば浴室に備え付けられている固定式の棚の面も含む概念である。
【符号の説明】
【００３４】
Ａ  浴室用ラックセット
１  第１のラック
１１  取付け用孔（壁面設置用取付け部）
１４，１５  凹溝部（ラック連結用取付け部）
２  第２のラック
２４，２５  凸状物品（ラック連結用取付け部）
９  浴室の壁面
【図１】
2018015103.tif 000003
【図２】
2018015103.tif 000004
【図３】
2018015103.tif 000005
【図４】
2018015103.tif 000006
【図５】
2018015103.tif 000007